(57)【要約】【課題】モータ電気端子部の容器内圧力による変形を抑制して、モータ電気端子部のシール部の割れ等の破損を防止し、冷媒の漏洩を生じないことにより、容器全体の耐圧信頼性の高い密閉型電動圧縮機を提供する。【解決手段】本発明の圧縮機は、該圧縮機の外殻で該圧縮機の構成要素を密閉するように収容するケーシングと、流体を圧縮する圧縮部と、外部から電気が供給されて回転して回転軸を介して前記圧縮部を駆動するモータ部と、前記モータ部に電気を供給するために前記モータ部に接続するモータ電気端子部と、前記モータ電気端子部がその中央を通過するように、それを案内する筒状のリング部とを具備する。前記リング部が前記ケーシングに溶接固定されることにより、前記モータ電気端子部の移動又は変形が抑制されることを特徴とする。【選択図】　　　図２
2004108350.tif 000002
【特許請求の範囲】
【請求項１】
密閉型電動圧縮機において、この圧縮機は、
該圧縮機の外殻で該圧縮機の構成要素を密閉するように収容するケーシングと、
流体を圧縮する圧縮部と、
外部から電気が供給されて回転して回転軸を介して前記圧縮部を駆動するモータ部と、
前記モータ部に電気を供給するために前記モータ部に接続するモータ電気端子部と、
前記モータ電気端子部がその中央を通過するように、それを案内する筒状のリング部と、
前記リング部とその内側を通る前記モータ電気端子部の間の空間を埋めるように配設される封止部と、
を具備しており、
前記リング部が前記ケーシングに溶接固定されることにより、前記モータ電気端子部の移動又は変形が抑制されることを特徴とする圧縮機。
【請求項２】
密閉型電動圧縮機において、この圧縮機は、
該圧縮機の外殻で該圧縮機の構成要素を密閉するように収容するケーシングと、
流体を圧縮する圧縮部と、
外部から電気が供給されて回転して回転軸を介して前記圧縮部を駆動するモータ部と、
前記モータ部に電気を供給するために前記モータ部に接続するモータ電気端子部と、
前記モータ電気端子部がその中央を通過するように、それを案内する筒状のリング部と、
前記リング部とその内側を通る前記モータ電気端子部の間の空間を埋めるように配設される封止部と、
を具備しており、
前記リング部がその内周側に少なくとも一つの凹部を有することにより、前記モータ電気端子部の移動又は変形が抑制されることを特徴とする圧縮機。
【請求項３】
前記リング部がその内周側に少なくとも一つの凹部を有することを特徴とする請求項１に記載の圧縮機。
【請求項４】
前記リング部は円筒形状であることを特徴とする請求項１から３のいずれか一項に記載の圧縮機。
【請求項５】
前記ケーシングには、圧縮される流体の吸入パイプと、前記吸入パイプが接続していて前記圧縮部の上流側に位置する吸入室とが具備されており、
前記モータ電気端子部は前記吸入室に配置されていることを特徴とする請求項１から４のいずれか一項に記載の圧縮機。
【請求項６】
前記封止部はエポキシ系樹脂製であることを特徴とする請求項１から５のいずれか一項に記載の圧縮機。
【請求項７】
前記密閉型電動圧縮機は、ＣＯ２を冷媒とする空調装置等の冷凍機用であることを特徴とする請求項１から６のいずれか一項に記載の圧縮機。
【発明の詳細な説明】
【０００１】
【発明の属する技術分野】
本発明は、密閉型電動圧縮機に係り、より特別には密閉型電動圧縮機においてモータに接続してモータに電気を供給するモータ電気端子部の構造に関する。
【０００２】
【従来の技術】
密閉型電動圧縮機は様々な用途において使用されているが、空調装置等の冷媒ガス圧縮用としても一般的に使用されている。従来、密閉型電動圧縮機においては、圧縮機構とそれを駆動するモータが、密封溶接により形成された容器内に内蔵されているが、このモータの電源は、モータ電気端子部を介して、外部電源から供給されており、モータ電気端子部は、容器に密封溶接されてる本体部を有しており、更に前記本体部に対してガラスシールで絶縁された導電ピンを有する。このような圧縮機の冷媒については、環境保護により代替冷媒を使用する圧縮機が年々増えており、特にＣＯ２冷媒を使用する圧縮機においては、高圧室は１０ＭＰａを超える超高圧となり、密閉容器の耐圧強度を確保する事がポイントとなっている。ちなみに従来の構造においては、過大な圧力がかかると、モータ電気端子のガラスシール部が割れ、冷媒が外部に漏洩するので、この部分が耐圧強度の最も弱い部分となっている。従って、密閉容器全体の耐圧強度を強くするためには、このモータ電気端子部の耐圧強度の補強が必要である。
【０００３】
従来の密閉型電動圧縮機のモータ電気端子部付近の構造の一般的な例について図５及び６に示す。なお圧縮機自体の全体的な構成については、図１及び２に本発明の実施の形態に従う圧縮機に関するものを示しているが、従来の密閉型電動圧縮機と本発明の圧縮機は同様であり、それについては本明細書の後記の部分で説明する。ここでは、本発明に特に関係する、従来の密閉型電動圧縮機のモータ電気端子部の構造についてのみを説明する。
【０００４】
密閉型電動圧縮機のモータ部３には、ケーブルを介して外部から電力が供給されるが、ケーブルは圧縮機の前部ケーシング１２を貫通して外部電源（図示されない）に接続する。
モータ部３からは、比較的柔軟なリード線３ａが伸びており、リード線３ａはその後直線形状の導通ピン１５ａに接続しており、導通ピン１５ａはそのまま真っ直ぐ伸びて、圧縮機の前部ケーシング１２を貫通して、ケーブルに接続する。前部ケーシング１２の中央部には開口が設けられており、導通ピン１５ａはこの開口を通っており、導通ピン１５ａが前記前部ケーシング１２を貫通する部分には、リング１６が前部ケーシング１２に圧入固定されており、リング１６の内周側はエポキシ系樹脂のモールド１７によりモールドされている。樹脂のモールド１７はある程度の弾性を有する。
【０００５】
図５に示されるように、前部ケーシング１２には導通ピン１５ａを支えるように、モータ電気端子部１５の本体部１５ｂが溶接固定されており、本体部１５ｂと導通ピン１５ａの間にはガラスシール部１５ｃが絶縁のため埋めるように設置されている。また密閉型電動圧縮機では循環する冷媒ガスは吸入パイプ５から、圧縮機の耐圧容器内に流入し、低温の吸入冷媒ガスによりモータ部３を冷却している。冷媒ガスはその後圧縮部により吸引される。
ここで、前記のモールド１７及びガラスシール部１５ｃの構成により、導通ピン１５ａの貫通部は絶縁され、且つ密閉される。
【０００６】
冷媒ガスが通過するので、密閉容器である圧縮機のケーシング内には冷媒ガスの圧力が作用し、上記のようにＣＯ２を冷媒として使用する場合は、高圧が作用する。図５に示す従来の密閉型電動圧縮機においては、リング１６が前部ケーシング１２に対して圧入固定されており、この様に過大な圧力がかかった時は、圧力は、本体部１５ｂに作用し、更にモールド１７、リング１６へと伝達され、図６に示すようにリング１６が前部ケーシング１２に対して移動してしまい、その結果、モータ電気端子部１５の本体部１５ｂが変形し、導通ピン１５ａとの間のガラスシール部１５ｃに過大な力がかかり、割れが生じ、冷媒が漏洩してしまう。
【０００７】
従来の文献には、密閉型電動圧縮機のモータ電気端子部付近の構造に関して提案したものがある（例えば、特許文献１参照）。しかしこの文献の提案においては、導通ピンの様な密閉端子部の周囲に配置されたガラスシール等の絶縁シールの破損については着目せず、従ってガラスシール部の割れ等の破損を防ぐ構造にはなっていない。
また従来の文献には、やはり密閉型電動圧縮機のモータ電気端子部付近の冷媒ガスのリークを防止するための構造を提案したものがある（例えば、特許文献２参照）。この場合においては、導通ピン等の密閉端子の変位は許容されており、導通ピンの変位を許容する構造をモータ電気端子部が具備するものであり、比較的複雑な構造となっている。
【特許文献１】
特開第２０００−２１８２号（第５頁）
【特許文献２】
特開平第１１−２８９７０７号（第５頁）
【０００８】
【発明が解決しようとする課題】
上述したように、従来技術では特に高圧用の密閉型電動圧縮機において、モータ電気端子部が容器内圧力により変形して、モータ電気端子部のシール部に割れを生じ、冷媒の漏洩を発生する問題を解決することが必要であった。
本発明は上述した事情に鑑みなされたもので、特に高圧用の密閉型電動圧縮機において、モータ電気端子部の容器内圧力による変形を抑制して、モータ電気端子部のシール部の割れ等の破損を防止し、冷媒の漏洩を生じないことにより、容器全体の耐圧信頼性が高く且つ比較的構造の簡単なモータ電気端子部を有する密閉型電動圧縮機を提供することを目的とする。
【０００９】
【課題を解決するための手段】
本発明の請求項１の形態では、密閉型電動圧縮機は上述した目的を達成するために、該圧縮機の外殻で該圧縮機の構成要素を密閉するように収容するケーシングと、流体を圧縮する圧縮部と、外部から電気が供給されて回転して回転軸を介して前記圧縮部を駆動するモータ部と、前記モータ部に電気を供給するために前記モータ部に接続するモータ電気端子部と、前記モータ電気端子部がその中央を通過するように、それを案内する筒状のリング部と、前記リング部とその内側を通る前記モータ電気端子部の間の空間を埋めるように配設される封止部とを具備する。前記リング部が前記ケーシングに溶接固定されることにより、前記モータ電気端子部の移動又は変形が抑制されることを特徴とする。
【００１０】
この様に構成することにより、リング部がケーシングに溶接固定されるので、過大な圧力がかかった場合においても、前記リング部更にはモータ電気端子部は、あまり変形せず、ガラスシール部を破損してしまうような力が働きにくく形成される。従って、密閉容器全体としての耐圧強度が向上し、信頼性の高い密閉型電動圧縮機を提供できる。またモータ電気端子部の構造についても比較的簡単である。
【００１１】
本発明の請求項２の形態では密閉型電動圧縮機は、該圧縮機の外殻で該圧縮機の構成要素を密閉するように収容するケーシングと、流体を圧縮する圧縮部と、外部から電気が供給されて回転して回転軸を介して前記圧縮部を駆動するモータ部と、前記モータ部に電気を供給するために前記モータ部に接続するモータ電気端子部と、前記モータ電気端子部がその中央を通過するように、それを案内する筒状のリング部と、前記リング部とその内側を通る前記モータ電気端子部の間の空間を埋めるように配設される封止部とを具備する。前記リング部がその内周側に少なくとも一つの凹部を有することにより、前記モータ電気端子部の移動又は変形が抑制されることを特徴とする。
【００１２】
この様に構成することにより、リング部に設けられた少なくとも一つの凹部は、その内部に配置されたもの（モールド）が滑って移動し難い構造であるので、過大な圧力がかかった場合においても、前記リング部内に配置されるモータ電気端子部は、あまり変形せず、ガラスシール部を破損してしまうような力が働きにくく形成される。従って、密閉容器全体としての耐圧強度が向上し、信頼性の高い密閉型電動圧縮機を提供できる。またモータ電気端子部の構造についても比較的簡単である。
【００１３】
本発明の請求項３の形態では、上記請求項１の形態において、前記リング部がその内周側に少なくとも一つの凹部を有することを特徴とする。
この様に構成することにより、上記請求項１の効果作用に加えて、リング部に設けられた凹部の上記請求項２に関して記載した構造の効果作用が加えられるので、過大な圧力がかかった場合においても、前記リング部内に配置されるモータ電気端子部は、あまり変形せず、ガラスシール部を破損してしまうような力が働きにくく形成され、密閉容器全体としての耐圧強度が向上し、信頼性の高い密閉型電動圧縮機を提供できる。
【００１４】
本発明の請求項４の形態では、上記請求項１から３のいずれか一項の形態において、前記リング部は円筒形状であることを特徴とする。
請求項４の形態では、本発明のリング部をより具体化する形態を開示する。
【００１５】
本発明の請求項５の形態では、上記請求項１から４の形態のいずれか一項において、前記ケーシングには、圧縮される流体の吸入パイプと、前記吸入パイプが接続していて前記圧縮部の上流側に位置する吸入室とが具備される。前記モータ電気端子部は前記吸入室に配置されていることを特徴とする。
この様に構成することにより、圧縮機内部で、比較的圧力の低い吸入室側に電気端子部を配置することで、さらに信頼性の高い密閉型電動圧縮機を提供出来る。
【００１６】
本発明の請求項６の形態では、上記請求項１から５の形態のいずれか一項において、前記封止部はエポキシ系樹脂製であることを特徴とする。
請求項６の形態では、本発明の封止部の材質をより具体化する。
【００１７】
本発明の請求項７の形態では、上記請求項１から６の形態いずれか一項において、前記密閉型電動圧縮機は、ＣＯ２を冷媒とする空調装置等の冷凍機用であることを特徴とする。
請求項７の形態では、本発明の用途をより具体化する。
【００１８】
【発明の実施の形態】
以下、図面に基づいて本発明の密閉型電動圧縮機の実施の形態を詳細に説明する。
図１と２は、本発明の第１の実施の形態に係る密閉型電動圧縮機の図解的な図面であり、図１は該圧縮機全体の横断面図であり、図２は特にモータ電気端子部の詳細断面図である。本実施の形態の圧縮機はスクロールタイプであって、車両用等の空調装置の圧縮機である。該圧縮機は、圧縮機全体を囲む筒状のケーシング１１と、両端の共に蓋状の前部ケーシング１２（図１において上部の）と、後部ケーシング１３（図１において下部の）とを具備しており、これらは溶接により密閉するようにケーシング１１に接合されるので、耐圧容器１を形成する。ただし、別の方法により密閉するように接合されても良い。ケーシング１１内において、前部には駆動部であるモータ部３と、中央部にはケーシング１１の中央部を構成するミドルハウジング６と、後部には冷媒ガスを圧縮する圧縮部２とが具備される。
【００１９】
モータ部３は、ケーシング１１に固定されたステータと、その内部に複数個の永久磁石により構成されたアーマチュアと、更にその内側で中心を通る回転軸４とを具備する。アーマチュアは、回転軸４に固定支持されており、回転軸４は軸受けを介して前部ケーシング１２及びミドルハウジング６により回転可能に支持される。
【００２０】
回転軸４のクランク状の端部は、公転駆動部を介して圧縮部２に接続され、モータ部３の駆動力を圧縮部２に伝達している。また、固定スクロール２２はミドルハウジング６に固定されており、さらに固定スクロール２２と旋回スクロール２１の端板の間には旋回スクロール２１の公転のみを許し、自転を防止する自転防止機構２３が設けられている。旋回スクロール２１は、渦巻き形の羽根部と端板を有しており、固定スクロール２２は、旋回スクロール２１の渦巻き形の羽根部と噛み合う、渦巻き形の羽根部と端板を有する。圧縮部２は、旋回スクロール２１、固定スクロール２２、前記公転駆動部等により構成される。
【００２１】
上記の構成により、回転軸４が回転すると、回転力は回転軸４の端部、ブッシュ、軸受けを介して旋回スクロール２１に伝達される。前記端部は回転軸４に対して偏心しており、自転防止機構２３により旋回スクロール２１の自転が防止されているので、伝達された回転力は、渦巻状の旋回スクロール２１をやはり渦巻状の固定スクロール２２に対して公転させる。この際、旋回スクロール２１と固定スクロール２２の間には作動室が形成されており、作動室は旋回スクロール２１の公転運動に従い、外周側から中心に向かってその容積が連続的に減少するように移動するので、作動室の外周側から吸い込まれた冷媒ガスは圧縮されて、固定スクロール２２の中心に設けられた吐出口を介して、プレート７と固定スクロール２２により形成される、吐出室８に流れ、更に吐出パイプ９を介して圧縮機の外部に吐出される。この様にしてモータの回転により圧縮機が作動する。
【００２２】
前部ケーシング１２には、図１に示すように吸入パイプ５が設けられており、吸入パイプ５は外部冷媒回路（図示しない）に連絡しており、圧縮機により圧縮された冷媒ガスは外部冷媒回路を経由して吸入パイプ５より圧縮機に環流する。冷媒ガスの流れは、吸入パイプ５から、耐圧容器１内に流れ込み、低温の吸入冷媒ガスによりモータ部３を冷却している。その後モータ部３の冷媒通路（図示せず）からミドルハウジング６の冷媒通路（図示せず）を通り、圧縮部２へ流れる。冷媒の流れは上記のようなものであり、圧縮機の耐圧容器１内は高圧の冷媒ガスで充満される。
【００２３】
ここで、本発明に関係するモータ部３へのケーブル接続部分である、モータ電気端子部１５付近の構造について、図１と２を参照して説明する。ここでは図面、より特別には図１と２を参照すると、前述した図５と６に開示される従来の密閉型電動圧縮機の例の要素部分と同じ又は同様である、図１と２の要素部分は、同じ参照符号により指定されている。
【００２４】
図２を参照すると、前部ケーシング１２には、外部電源（図示せず）に接続されるモータ電気端子部１５が溶接固定されており、モータ部３から延びるリード線３ａが導通ピン１５ａに接続されている。また、モータ電気端子部１５を囲むように案内する円筒状のリング１６が具備されており、リング１６は前部ケーシング１２に設けられた開口に溶接固定される。該リング１６内周側は、エポキシ系の樹脂によりモールドされることによりモールド（封止部）１７が形成される。本実施の形態においてモータ部３は、３相電流が供給されているので、３本のケーブル、従って３本の導通ピン１５ａが、前部ケーシング１２及びリング１６を通過する。従って導通ピン１５ａはエポキシ樹脂のモールド１７をモールド状態で貫通している。ケーブルの本数、即ち導通ピン１５ａの本数は３以外でも良い。モールド１７はエポキシ樹脂以外の適当な材料で形成されても良い。リング１６は円筒状以外の筒状であっても良い。
【００２５】
モータ電気端子部１５は、上記のリード線３ａと、導通ピン１５ａの他にモータ電気端子部１５自体を支える本体部１５ｂと、ガラスシール部１５ｃを具備しており、ガラスシール部１５ｃは、導通ピン１５ａと本体部１５ｂとの間に介挿されて、その間を絶縁すると共にシールする。
本体部１５ｂは、耐圧容器１内が高圧になる場合に、このケーシング内圧により外側に向かって押圧される。しかし、リング１６が前部ケーシング１２に溶接固定されることにより移動できないので、モールド１７を移動させないように機能し、本体部１５ｂの変形は抑制される。従って、ガラスシール部１５ｃに作用する力も緩和される。
【００２６】
本発明の第２の実施の形態に係る密閉型電動圧縮機について図３と４を参照して説明する。図３は図１に対応する該圧縮機全体の横断面図であり、図４は図２に対応するモータ電気端子部の詳細断面図である。本実施の形態の圧縮機もスクロールタイプである。ここでは図面、より特別には図３と４を参照すると、前述した図１と２に開示される密閉型電動圧縮機の第１の実施の形態の要素部分と同じ又は同様である、図３と４の要素部分は、同じ参照符号により指定されている。
【００２７】
本実施の形態において円筒状のリング１６の内面には、図４から良く分かるように凹部１６１が形成されている。前記第１の実施の形態との相違はこの凹部１６１を具備することである。
該リング１６外周側は前部ケーシング１２に圧入固定されており、内周側はエポキシ系の樹脂からなるモールド１７により充填されて成形されている。過大な圧力がかかった場合、本体部１５ｂは変形しようとし、リング１６が移動しない場合においても、モールド１７が移動する可能性が考えられ、本体部１５ｂが変形する恐れがあるが、上記構成を採用することにより、凹部１６１に回り込んだモールド１７の樹脂により、モールド１７のみの移動がなくなり、変形が抑えられる。
本実施の形態において、１つの凹部１６１がリング１６内面の中央部に具備されているが、凹部１６１が複数設けられても良い。更に凹部１６１は、リング１６内面の中央部ではなく、図７のようにリング１６内面の本体部１５ｂ側の端部に設けられても良い。
【００２８】
本発明の第３の実施の形態として、前記第１の実施の形態と第２の実施の形態を組み合わせたものが考えられる。即ち図４に示す第２の実施の形態において、リング１６が前部ケーシング１２に溶接固定されたものである。本実施の形態においてはリング１６は、前部ケーシング１２に溶接固定されたことにより、前部ケーシング１２に対して相対的に移動又は変位しないと共に、モールド１７のリング１６に対する相対移動又は変位も生じ難くなり、従って本体部１５ｂの移動又は変位がより以上に確実に防止されてガラスシール部１５ｃが割れる等破損することが確実に防止される。
【００２９】
次に上記実施の形態の効果及び作用について説明する。
本発明の上記の第１の実施の形態の圧縮機により以下の効果が期待できる。
・　圧縮機のリングを前部ケーシングに溶接固定することで、過大な荷重が作用した場合でも、モータ電気端子部の変形を抑制する構造とし、モータ電気端子部のシール部であるガラスシール部を破損させるような力を働きにくくする。
・　それにより、ガラスシール部の破損による冷媒の漏洩を防止する。
・　更に、圧縮機全体としての耐圧性能が向上された信頼性が高く比較的簡単な
構造の密閉型電動圧縮機を提供できる。
【００３０】
本発明の上記の第２の実施の形態の圧縮機により以下の効果が期待できる。
・　圧縮機のリングに設けられた凹部により、リングに対してモールドが相対的に移動又は変位し難く、従って本体部が変形し難くなることで、過大な荷重が作用した場合でも、モータ電気端子部の変形を抑制する構造とし、モータ電気端子部のシール部であるガラスシール部を破損させるような力を働きにくくする。
・　それにより、ガラスシール部の破損による冷媒の漏洩を防止する。
・　更に、圧縮機全体としての耐圧性能が向上された信頼性が高く比較的簡単な
構造の密閉型電動圧縮機を提供できる。
【００３１】
本発明の上記の第３の実施の形態の圧縮機により以下の効果が期待できる。
・　上記第１の実施の形態と第２の実施の形態を組み合わせることで、より一層第１の実施の形態の効果を高める。
【００３２】
また、本実施例ではスクロール圧縮機の例を示したが、スクロール圧縮機以外においても同様に適用することができる。
上記の実施の形態の説明において、本発明の密閉型電動圧縮機は空調装置用として説明されたが、これに限定するものではない。
【００３３】
上記の実施の形態は本発明の一例であり、本発明は、該実施の形態により制限されるものではなく、請求項に記載される事項によってのみ規定されており、上記以外の実施の形態も実施可能である。
【図面の簡単な説明】
【図１】図１は、本発明の第１の実施の形態の密閉型電動スクロール圧縮機の図解的な全体の横断面図を示す。
【図２】図２は、図１の圧縮機のモータ電気端子部付近の拡大断面図である。
【図３】図３は、本発明の第２の実施の形態の密閉型電動スクロール圧縮機の図解的な全体の横断面図を示す。
【図４】図４は、図２の圧縮機のモータ電気端子部付近の拡大断面図である。
【図５】図５は、従来技術の密閉型電動圧縮機の一例のモータ電気端子部の拡大断面図を示す。
【図６】図６は、図５の圧縮機のモータ電気端子部付近の拡大断面図と同じ図面であり、モータ電気端子部の本体部が内圧を受けて変形しガラスシール部に割れが生じた状態を示す図解図である。
【図７】図７は、図４と同様の図面であり、本発明の第２の実施の形態の変形形態の図解的拡大断面図である。
【符号の説明】
１…耐圧容器
２…圧縮部
３…モータ部
３ａ…リード線
４…回転軸
５…吸入パイプ
６…ミドルハウジング
８…吐出室
９…吐出パイプ
１１…ケーシング
１２…前部ケーシング
１３…後部ケーシング
１５…モータ電気端子部
１５ａ…導通ピン
１５ｂ…本体部
１５ｃ…ガラスシール部
１６…リング
１７…モールド
【図１】
2004108350.tif 000003
【図２】
2004108350.tif 000004
【図３】
2004108350.tif 000005
【図４】
2004108350.tif 000006
【図５】
2004108350.tif 000007
【図６】
2004108350.tif 000008
【図７】
2004108350.tif 000009